(57)【特許請求の範囲】
【請求項１】
加熱源を燃焼動作させて湯温設定器に設定された給湯設定温度の湯を出湯させる一方、ゆらぎ指示部にてゆらぎ動作が指示されると出湯温度が時間経過に伴なって変化するゆらぎ動作が行われるように上記加熱源の加熱量を時間経過に伴なって変化させる補助熱源機に対して、温水供給器を接続するための湯水混合ユニットであって、
上記温水供給器からの温水と給水源からの冷水とを導入すると共に混合しこの混合水を上記補助熱源機へ供給する通水回路と、上記通水回路に配設されて上記混合水の温度が所望の混合設定温度となるように上記温水と上記冷水との湯水混合割合を決定する混合器と、上記補助熱源機との間で通信すると共に本湯水混合ユニットの動作制御を行うコントローラとを備え、
上記コントローラは、上記ゆらぎ動作が指示されると、
上記温水の温度が上記給湯設定温度より高い高温状態のときは、上記補助熱源機における加熱源の燃焼動作を阻止するための燃焼不要信号を補助熱源機に送出し、上記混合水の温度が時間経過に伴なって変化するように上記混合器の湯水混合割合を時間経過に伴なって変化させるようにし、
上記温水の温度が上記給湯設定温度以下の低温状態のときは、上記燃焼不要信号を送出せず、上記混合水の温度が一定温度となるように上記混合器の湯水混合割合を決定する制御構成を備えたことを特徴とする湯水混合ユニット。
【請求項２】
請求項１に記載の湯水混合ユニットにおいて、
上記コントローラは、温水の温度が上記低温状態のときのゆらぎ動作中に当該温水の温度が上記高温状態となった場合でも、上記燃焼不要信号を送出せず混合水の温度が一定温度となるように混合器の湯水混合割合を決定する現在の制御を継続させるようにしたことを特徴とする湯水混合ユニット。
【請求項３】
請求項１に記載の湯水混合ユニットにおいて、
上記コントローラは、温水の温度が上記高温状態におけるゆらぎ動作中に当該温水の温度が上記低温状態となった場合は、上記補助熱源機に対してゆらぎ終了信号を送出し、当該ゆらぎ動作を解除するようにしたことを特徴とする湯水混合ユニット。
【請求項４】
請求項３に記載の湯水混合ユニットにおいて、
上記コントローラは、温水の温度が上記低温状態におけるゆらぎ動作中に上記温水の温度が上記高温状態となった場合は、上記補助熱源機に対してゆらぎ終了信号を送出し、当該ゆらぎ動作を解除するようにしたことを特徴とする湯水混合ユニット。
【請求項５】
請求項１ないし４のいずれかに記載の湯水混合ユニットにおいて、
温水の温度が上記低温状態のときのコントローラにおける上記制御構成を、混合器にて温水の混合を行わない水固定とするようにしたことを特徴とする湯水混合ユニット。
【請求項６】
加熱源を燃焼動作させて湯温設定器に設定された給湯設定温度の湯を出湯させる一方、ゆらぎ指示部にてゆらぎ動作が指示されると出湯温度が時間経過に伴なって変化するゆらぎ動作が行われるように上記加熱源の加熱量を時間経過に伴なって変化させる補助熱源機に対して、温水供給器を接続するための湯水混合ユニットであって、
上記温水供給器からの温水と給水源からの冷水とを導入すると共に混合しこの混合水を上記補助熱源機へ供給する通水回路と、上記通水回路に配設されて上記混合水の温度が所望の混合設定温度となるように上記温水と上記冷水との湯水混合割合を決定する混合器と、上記補助熱源機との間で通信すると共に本湯水混合ユニットの動作制御を行うコントローラとを備え、
上記コントローラは、上記ゆらぎ動作が指示されると、上記補助熱源機における加熱源の燃焼動作を阻止するための燃焼不要信号を送出せず、上記混合水の温度が一定温度となるように上記混合器の湯水混合割合を決定する制御構成を備えたことを特徴とする湯水混合ユニット。
【発明の詳細な説明】
【０００１】
【発明の属する技術分野】
本発明は、例えば、自然エネルギーを利用した太陽熱温水器等や廃熱を利用した温水器等で構成される温水供給器を給湯器等の補助熱源機に接続するための湯水混合ユニットに関する。特に、湯水混合ユニットとして所謂ゆらぎ動作を行う補助熱源機に温水供給器を接続可能とする技術に関するものである。
【０００２】
【従来の技術】
従来より、例えば、図７に示すように、温水供給器となる太陽熱温水器Ｂを、湯水混合ユニットＣによって補助熱源機の給湯器Ａに接続し、太陽熱温水器Ｂからのソーラ温水を給湯利用する給湯装置が知られている。
【０００３】
この給湯装置として、例えば、特開平１０−４７７５２号公報に記載のものがある。そして、上記湯水混合ユニットＣは、通水回路５６６，５６７，５６８を有し、太陽熱温水器Ｂからのソーラ温水と給水源からの冷水とを混合器５６１によって一定割合に混合しこの混合水を給湯器Ａ側へ送り込むものである。また、この湯水混合ユニットＣには、当該湯水混合ユニットＣの動作制御を行うと共に給湯器Ａの給湯コントローラ５３０との間で通信するコントローラ５６０を備える。この湯水混合ユニットＣによると、ソーラ温水温度が給湯器Ａのリモコン５５０に設定された給湯設定温度より高い場合（高温状態）は、給湯器Ａに燃焼不要信号を送出して給湯器Ａの燃焼を阻止し上記混合器５６１を制御して給湯設定温度の混合水を給湯器Ａに送り込んで、給湯器Ａから給湯設定温度の湯を出湯させ、また、ソーラ温水温度が上記給湯設定温度より低い場合（低温状態）は、上記混合器５６１を制御して給湯設定温度より低い混合設定温度の混合水を給湯器Ａに送り込んで、給湯器Ａの燃焼動作にて混合水を加熱し給湯設定温度の湯にして出湯させる。また、この湯水混合ユニットＣは、給湯器Ａから非加熱水の要求があった場合に混合器Ａではソーラ温水の混合をせずに水固定動作となって冷水を給湯器Ａに送り込ませることもできる。
【０００４】
一方、給湯器として、特開平４−２８３３５４号公報等に挙げられているように、ゆらぎ動作を行うゆらぎ機能付きのものが知られている。このゆらぎ動作は、リモコンのゆらぎスイッチをオン操作すると、加熱源の熱交換器での加熱量が時間経過に伴なって変化され、これによって給湯器から出湯する湯の給湯温度が時間経過に伴なって変化されるものであり、例えばマッサージ効果を与えるマッサージシャワーとして利用される。
従って、このようなゆらぎ動作機能付きの給湯器に対し、上記湯水混合ユニットＣを介して太陽熱温水器等の温水供給器を接続することも考えられる。
【０００５】
【発明が解決しようとする課題】
しかしながら、上記湯水混合ユニットＣは、ソーラ温水温度が給湯設定温度より高い高温状態の場合は燃焼不要信号によって給湯器Ａの燃焼動作が阻止されるため、上記ゆらぎ動作を行わせることができない。また、ソーラ温水温度が給湯設定温度より低い低温状態の場合は給湯器Ａの燃焼動作が許容されているため、上記ゆらぎ動作を行わせることはできるが、この場合、ゆらぎ動作の下限温度は湯水混合ユニットＣから送り込まれる混合水の温度となる。混合水は冷水の温度より高いため、ゆらぎ動作の下限温度が高くなってしまい、ゆらぎ動作の温度幅を十分に確保できず、実質的にゆらぎ動作となり難い。
【０００６】
そこで、従来の上記湯水混合ユニットＣは、給湯器Ａからの非加熱水要求によって水固定動作にできるので、ゆらぎ動作を行うときは、この水固定動作とし給湯器に冷水を供給させるようにすることが考えられる。そうすれば、従来どおり給湯器Ａの持つゆらぎ機能を使って上記ゆらぎ動作を実現できるが、これでは太陽熱温水器Ｂに十分なソーラ温水があるにも関わらず全く利用できない不具合が生じる。
【０００７】
本発明は、上記事情に鑑みてなされ、上記湯水混合ユニットとして、ゆらぎ機能付きの補助熱源機との接続に際して温水を有効に活用できるゆらぎ動作を行えるようにすることを課題とする。
【０００８】
【課題を解決するための手段】
（１）請求項１の発明による湯水混合ユニットは、
加熱源を燃焼動作させて湯温設定器に設定された給湯設定温度の湯を出湯させる一方、ゆらぎ指示部にてゆらぎ動作が指示されると出湯温度が時間経過に伴なって変化するゆらぎ動作が行われるように上記加熱源の加熱量を時間経過に伴なって変化させる補助熱源機に対して、温水供給器を接続するための湯水混合ユニットであって、
上記温水供給器からの温水と給水源からの冷水とを導入すると共に混合しこの混合水を上記補助熱源機へ供給する通水回路と、上記通水回路に配設されて上記混合水の温度が所望の混合設定温度となるように上記温水と上記冷水との湯水混合割合を決定する混合器と、上記補助熱源機との間で通信すると共に本湯水混合ユニットの動作制御を行うコントローラとを備え、
上記コントローラは、上記ゆらぎ動作が指示されると、
上記温水の温度が上記給湯設定温度より高い高温状態のときは、上記補助熱源機における加熱源の燃焼動作を阻止するための燃焼不要信号を補助熱源機に送出し、上記混合水の温度が時間経過に伴なって変化するように上記混合器の湯水混合割合を時間経過に伴なって変化させるようにし、
上記温水の温度が上記給湯設定温度以下の低温状態のときは、上記燃焼不要信号を送出せず、上記混合水の温度が一定温度となるように上記混合器の湯水混合割合を決定する制御構成を備えたことを特徴とするものである。
【０００９】
これによると、温水の温度が上記高温状態のときは燃焼不要信号によって補助熱源機の加熱源の燃焼動作が阻止されるため、当該加熱源の燃焼動作制御によってはゆらぎ動作を行わない。この場合、上記混合器における湯水混合割合を時間経過に伴なって変化させることによって時間経過に伴なって温度変化する混合水が補助熱源機側へ送り込まれるため、このときの混合水が補助熱源機を通じて出湯される。従って、本湯水混合ユニットにおける混合器の混合制御によってゆらぎ動作が行われることとなる。
【００１０】
一方、温水の温度が上記低温状態のときは給湯設定温度の湯を得るため補助熱源機にて燃焼動作させる必要があるから、ゆらぎ動作の指示により加熱源の加熱量が時間経過に伴なって変化される。そのため、混合水の温度を変化させると予想外の高温出湯となるおそれもあるため、温水の温度が上記低温状態のときは混合水の温度が一定の混合設定温度となるように上記混合器の湯水混合割合を決定することによって一定温度の混合水を補助熱源機へ送り込む。すると、補助熱源機の加熱源が許容されているので補助熱源機における加熱源の加熱量が時間経過に伴なって変化され、一定温度の混合水が加熱源によって時間経過に伴なって温度変化されて出湯される。従って、通常どおり補助熱源機における加熱源の燃焼動作制御によってゆらぎ動作が行われることとなる。
【００１１】
（２）請求項２の発明による湯水混合ユニットは、上記湯水混合ユニット（請求項１）において、
上記コントローラは、温水の温度が上記低温状態のときのゆらぎ動作中に当該温水の温度が上記高温状態となった場合でも、上記燃焼不要信号を送出せず混合水の温度が一定温度となるように混合器の湯水混合割合を決定する現在の制御を継続させるようにしたことを特徴とするものである。
【００１２】
ゆらぎ動作を混合器で行わせる場合と補助熱源機の加熱源で行わせる場合との間で切替えると、この切替え時にゆらぎ動作の温度変化パターンが途切れてしまうが、補助熱源機の加熱源を燃焼動作制御したゆらぎ動作（温水温度の低温状態）から当該燃焼動作を阻止して混合器の混合制御によるゆらぎ動作（温水温度の高温状態）に切替える場合は、補助熱源機の加熱源を燃焼動作から非燃焼動作としても加熱源には残熱があってしばらくの間は温調困難な事態があるため、この切替え時に起こるゆらぎ動作の途切れが長く続いてしまう。
【００１３】
そこで、上記構成により、温水の温度が給湯設定温度以下の低温状態から給湯設定温度より高い高温状態へと変わっても、上記燃焼不要信号を送出せず上記混合器にて混合水の温度が一定温度となるように湯水混合割合を決定する現在の制御を継続し、補助熱源機の加熱源を燃焼動作制御させたゆらぎ動作を続行することによって、ゆらぎ動作の途切れを防止することができる。
【００１４】
なお、温水の温度が高温状態のときのゆらぎ動作は、上記補助熱源機における燃焼動作が阻止されているので、温水温度が高温状態のときのゆらぎ動作から温水温度が低温状態のときのゆらぎ動作へと切替えても、加熱源の残熱によるゆらぎ動作の長い途切れを生じさせることがないので、温水の温度が上記高温状態でのゆらぎ動作中（加熱源は非燃焼動作）に上記温水の温度が上記給湯設定温度以下の低温状態となった場合は、補助熱源機における燃焼動作を許容したゆらぎ動作に切替わる制御構成でもよい。
【００１５】
（３）請求項３の発明による湯水混合ユニットは、上記湯水混合ユニット（請求項１）において、
上記コントローラは、温水の温度が上記高温状態におけるゆらぎ動作中に当該温水の温度が上記低温状態となった場合は、上記補助熱源機に対してゆらぎ終了信号を送出し、当該ゆらぎ動作を解除するようにしたことを特徴とするものである。
【００１６】
温水の温度が給湯設定温度より高い高温状態のときのゆらぎ動作中に、温水の温度が給湯設定温度以下の低温状態となったときでも、ゆらぎ動作を継続させるには補助熱源機側による燃焼動作制御へと切替える必要があるが、この切替え時には、ゆらぎ動作による所定パターンの出湯温度の変化が途切れ、ゆらぎシャワー等の心地よさが減少してしまう。
【００１７】
そこで、上記構成により、温水の温度が上記高温状態にあるときのゆらぎ動作中に温水の温度が上記低温状態となった場合は、ゆらぎ動作を解除して一旦ゆらぎ動作を停止させ、上記補助熱源機に対してゆらぎ終了信号を送出することによって使用者が引続いてゆらぎ動作を継続したければ、改めてゆらぎ指示部でのゆらぎ動作の指示を促す。そして、ゆらぎ動作の指示がなされることによって、温水の温度が上記低温状態のときの補助熱源機側での燃焼動作制御によるゆらぎ動作が改めて実行されるから、以後は途切れのない所定パターンの出湯温度変化となって心地のよいゆらぎシャワー等を実感できることとなる。
【００１８】
（４）請求項４の発明による湯水混合ユニットは、上記湯水混合ユニット（請求項３）において、
上記コントローラは、温水の温度が上記低温状態におけるゆらぎ動作中に上記温水の温度が上記高温状態となった場合は、上記補助熱源機に対してゆらぎ終了信号を送出し、当該ゆらぎ動作を解除するようにしたことを特徴とするものである。
【００１９】
温水の温度が給湯設定温度以下の低温状態のときのゆらぎ動作中に、温水の温度が給湯設定温度より高い高温状態となったときは、補助熱源機側を燃焼動作させることなく温水を利用してゆらぎ動作を行うことができるにも関わらず、ゆらぎ動作の途切れを防止すべく、そのまま現在のゆらぎ動作が継続されると、温水が最大限に有効活用されない。
【００２０】
そこで、温水の温度が上記低温状態にあるときのゆらぎ動作中に温水の温度が上記高温状態となった場合でも、ゆらぎ動作を解除して一旦ゆらぎ動作を停止させ、上記補助熱源機に対してゆらぎ終了信号を送出することによって使用者がまだ引続いてゆらぎ動作を継続したければ、改めてゆらぎ指示部でのゆらぎ動作の指示を促す。そして、ゆらぎ動作の指示がなされることによって、ゆらぎ動作は、給湯器を燃焼動作させず、温水を利用したゆらぎ動作が改めて実行されるから、温水を最大限に有効活用することができる。
【００２１】
（５）請求項５の発明による湯水混合ユニットは、上記湯水混合ユニット（請求項１ないし４）において、
温水の温度が上記低温状態のときのコントローラにおける上記制御構成を、混合器にて温水の混合を行わない水固定とするようにしたことを特徴とするものである。
【００２２】
これによって、温水温度が給湯設定温度以下の低温状態のときは上記水固定動作によって補助熱源機側へは冷水が送り込まれ、補助熱源機にてこの冷水の加熱量を時間経過に伴なって変化させてゆらぎ動作が行われる。従って、冷水温度は、冷水に温水を混合した混合水に比して低いので、水固定動作にて冷水を送り込むことで混合水を送り込んだときよりもゆらぎ動作時の下限温度を下げるができる。
【００２３】
（６）請求項６の発明による湯水混合ユニットは、
加熱源を燃焼動作させて湯温設定器に設定された給湯設定温度の湯を出湯させる一方、ゆらぎ指示部にてゆらぎ動作が指示されると出湯温度が時間経過に伴なって変化するゆらぎ動作が行われるように上記加熱源の加熱量を時間経過に伴なって変化させる補助熱源機に対して、温水供給器を接続するための湯水混合ユニットであって、
上記温水供給器からの温水と給水源からの冷水とを導入すると共に混合しこの混合水を上記補助熱源機へ供給する通水回路と、上記通水回路に配設されて上記混合水の温度が所望の混合設定温度となるように上記温水と上記冷水との湯水混合割合を決定する混合器と、上記補助熱源機との間で通信すると共に本湯水混合ユニットの動作制御を行うコントローラとを備え、
上記コントローラは、上記ゆらぎ動作が指示されると、上記補助熱源機における加熱源の燃焼動作を阻止するための燃焼不要信号を送出せず、上記混合水の温度が一定温度となるように上記混合器の湯水混合割合を決定する制御構成を備えたことを特徴とするものである。
【００２４】
これによると、上記ゆらぎ動作が指示されると、一律に混合器から一定の混合設定温度となった混合水が補助熱源機に送り込まれ、補助熱源機において加熱源の加熱量が時間経過に伴なって変化されるので、補助熱源機での燃焼動作制御によってゆらぎ動作が行われることとなる。
【００２５】
【発明の効果】
以上のように、請求項１に係る発明によれば、ゆらぎ動作に際して、温水温度が給湯設定温度より高い場合でも低い場合でも温水供給器の温水が利用されるので、この温水を有効に活用してゆらぎ動作を行うことができ、しかも、予想外の高温出湯となることもなく安全にゆらぎ動作を行うことができる。
【００２６】
請求項２に係る発明によれば、上記温水の温度が給湯設定温度以下の低温状態でのゆらぎ動作中に当該温水の温度が給湯設定温度より高い高温状態となった場合でも、補助熱源機の加熱源を燃焼動作制御させたゆらぎ動作がそのまま継続されるので、ゆらぎ動作が途切れてしまう不具合を防止できる。
【００２７】
請求項３に係る発明によれば、温水の温度が給湯設定温度より高い高温状態のときのゆらぎ動作中に当該温水の温度が給湯設定温度以下の低温状態となったとき一旦ゆらぎ動作を終了させても、ゆらぎ終了信号によって改めてゆらぎ指示部でのゆらぎ動作指示が促される。従って、次にゆらぎ動作指示がされると、温水の温度が上記低温状態のときの補助熱源機側での燃焼動作制御によるゆらぎ動作が改めて実行されるから、以後は途切れのない所定パターンの出湯温度変化となって心地のよいゆらぎシャワー等を引き続き実感できる。
【００２８】
請求項４に係る発明によれば、温水の温度が給湯設定温度以下の低温状態のときのゆらぎ動作中に温水の温度が給湯設定温度より高い高温状態となったとき一旦ゆらぎ動作を終了させても、ゆらぎ終了信号によって改めてゆらぎ指示部でのゆらぎ動作指示が促される。従って、次にゆらぎ動作指示がされると、温水温度が上記高温状態のときの混合器の混合制御によるゆらぎ動作が行われ、給湯器を燃焼動作させずに温水を十分に有効利用したゆらぎ動作が改めて実行されるから、温水を最大限に有効活用することができる。
【００２９】
請求項５に係る発明によれば、温水温度が給湯設定温度以下の低温状態のときは混合器の上記水固定動作によって補助熱源機側へは冷水が送り込まれるので、混合水を送り込んだときよりもゆらぎ動作時の下限温度を下げるができ、従って、ゆらぎ動作の温度幅を十分に確保することができる。
【００３０】
請求項６に係る発明によれば、ゆらぎ動作に際して、温水供給器の温水が利用されるので、この温水を有効に活用して、ゆらぎ動作を行うことができる。また、温水温度が給湯設定温度より高くても低くても、混合器から一定の混合設定温度となった混合水が補助熱源機に送り込まれるので、制御構成を簡単にするができる。
【００３１】
【発明の実施の形態】
以下の実施の形態では、温水供給器として太陽熱温水器を、本発明の湯水混合ユニットによって補助熱源機としての給湯器に接続したソーラ給湯システムを例に挙げて説明する。そして、上記給湯器としては、ゆらぎスイッチのオン操作により熱交換器の加熱量を時間経過に伴なって変化させて出湯温度を時間経過に伴なって変化させるゆらぎ機能を備えるものである。
【００３２】
＜実施の形態１＞
図１は、ソーラ給湯システムの全体構成図を示す。まず、図１を参照して、このソーラ給湯システムの各部の構成から説明する。
【００３３】
（太陽熱温水器）
太陽熱温水器５は、既知の種々のものを使用できるが、図１に示すものでは、太陽熱を吸収する集熱器５０から引出された循環路５２を貯湯タンク５１内に導き、図示しないポンプによって循環路５２内の液状媒体を循環させ、貯湯タンク５１底部に取付けたソーラ用給水路５５を通じて貯湯タンク５１内に供給される冷水を熱交換加熱してソーラ温水とし、このソーラ温水を貯湯タンク５１頂部に取付けたソーラ温水配管５６を通じて上層の一番温かいところから順次取り出すようにするものである。
【００３４】
（給湯器）
給湯器７は、例えば給湯使用時にシャワーヘッドの出湯温度が変化するゆらぎ機能を備えたものが使用されるが、図１に示すものでは、本体７０内にはバーナ等を有する熱交換器７３（加熱源）とこの給湯器７を運転制御する給湯コントローラ７２とを備え、また、本体７０外に給湯リモコン７１が上記給湯コントローラ７２と信号線７８で接続されて取付けられている。給湯リモコン１には、運転スイッチ７１１、湯温設定器７１２、ゆらぎスイッチ７１３のほか、浴槽の湯張りスイッチ・追焚スイッチ、燃焼ランプ等の表示部等の各種操作部等を有する。上記熱交換器７３には、上記湯水混合ユニット１が接続される入水配管７６と末端蛇口にシャワーヘッド７５を有する出湯配管７４とが接続されると共に、浴槽８１へと導かれる往き管８２と戻り管８３とが接続されている。この熱交換器７３によって上記入水配管７６や戻り管８３等に流れる水が熱交換加熱される。また、出湯配管７４には、往き管８２との間に浴槽８１へ湯を供給するための風呂落とし込み路８４が設けられ、この風呂落とし込み路８４には、落とし込み開閉弁８５が設けられ、その下流の往き管８２との接続点には三方弁８６が設けられている。なお、入水配管７６、出湯配管７４、往き管８２および戻り管８３には、温度センサが設けられていてもよく、また、入水配管７６および往き管８２には、ポンプ、水量センサが設けられていてもよい。
【００３５】
そして、給湯使用の際に、上記給湯リモコン７１のゆらぎスイッチ７１３がオン操作されると、上記給湯コントローラ７２からの制御指令によって熱交換器７３の加熱量が時間経過に伴なって変化され、出湯配管７４端末のシャワーヘッド７５からの出湯温度が一定温度幅内で所定パターンに温度変化するゆらぎ動作が実行される。なお、このとき、浴槽８１への湯張りや追焚きが並行される場合は、上記給湯コントローラ７２からの制御指令によって落とし込み開閉弁８５や三方弁８６を閉止させ、ゆらぎ動作中の湯張りや追焚きが中断される。
【００３６】
（湯水混合ユニット）
上記湯水混合ユニット１は、太陽熱温水器５のソーラ温水と給水源の水道水等の冷水とを混合して混合水とし、この混合水を給湯器７の入水配管７６に送り込む装置であり、その主要構成は、ソーラ温水、冷水および混合水が通される通水回路２と、ソーラ温水と冷水との混合割合の調節をする混合器３と、本湯水混合ユニット１を運転制御するコントローラ１１とを備える。
【００３７】
上記通水回路２は、上記太陽熱温水器５のソーラ温水配管５６と接続されてソーラ温水が通されるソーラ温水路２１と、給水源の給水路６０の減圧弁６１下流から分岐された給水配管１０と接続されて水道水等の冷水が通される冷水路２２と、上記ソーラ温水路２１および上記冷水路２２が合流されると共に上記給湯器７の入水配管７６と接続されてソーラ温水と冷水とを混合した混合水が通される混合水路２３とを有する。
【００３８】
そして、ソーラ温水路２１にはソーラ温水開閉弁３３やソーラ温水路２１内を流れるソーラ温水の温度を検出するソーラ温水温度センサ４１が配設され、冷水路２２には冷水路２２内を流れる冷水の温度を検出する冷水温度センサ４２が配設され、また、混合水路２３には混合水路２３内を流れる混合水の通水を検出する水量センサ４０や混合水路２３内を流れる混合水の温度を検出する混合水温度センサ４３およびハイカットサーミスタ４４が配設されている。
【００３９】
また、上記ソーラ温水開閉弁３３は、例えばソレノイドによって駆動される電磁弁が採用され、ソレノイドへの電圧供給が停止されると閉弁する常閉式のものである。そして、このソーラ温水開閉弁３３は、上記コントローラ１１によって制御され、混合水路２３内の通水が検知されると開弁される。
【００４０】
上記混合器３は、図１に示す例では、混合水路２３における、ソーラ温水路２１との接続点に設けたソーラ温水側弁３１および冷水路２２との接続点に設けた冷水側弁３２からなる２軸式のものが採用され、この混合器３によるソーラ温水と冷水との混合割合を調節することによって所望温度の混合水が得られる。
【００４１】
上記コントローラ１１は、湯水混合ユニット１の運転制御を行う他に、上記給湯器７の給湯リモコン７１や給湯コントローラ７２と通信線７７，７８で接続されて通信機能を保持する。このコントローラ１１の主要構成は、給湯コントローラ７２や給湯リモコン７１との間で情報の送受信を行う通信部１１１と、目標とする混合水の温度である混合設定温度を決定すると共に混合器３のソーラ温水側弁３１および冷水側弁３２の開度調節を行う混合器制御部１１２と、ソーラ温水開閉弁３３の開閉制御を行う開閉弁制御部１１３と、上記各種温度センサ４１〜４４からの温度情報や上記給湯リモコン７１での給湯設定温度を監視すると共にソーラ温水温度と給湯設定温度との比較を行う温度監視部１１４と、ゆらぎ動作時の動作制御を行うゆらぎ制御部１１５とを備える。
【００４２】
そして、上記ゆらぎ制御部１１５は、上記給湯リモコン７１のゆらぎスイッチ７１３によりゆらぎ動作が指示されると、このゆらぎ制御部１１５からの指令によって上記混合器制御部１１２や上記通信部１１１が以下のような制御を実行させる。
【００４３】
ソーラ温度センサ４１で検出するソーラ温水温度が給湯リモコン７１の湯温設定器７１２に設定される給湯設定温度より高い高温状態のときは、通信部１１１から給湯コントローラ７２に燃焼不要信号を送出させて給湯器７での燃焼動作を阻止すると共に、混合器制御部１１２により混合器３でのソーラ温水側弁３１および冷水側弁３２の開度調節をしソーラ温水と冷水との混合割合を所定パターンに時間経過に伴なって変化させてこのパターンに従い時間経過に伴なって温度変化する混合水を給湯器７側へ供給することによって当該湯水混合ユニット１側での動作制御によりゆらぎ動作を行う。
【００４４】
このときの混合器３に対する混合制御は、混合水の温度変化パターンとしてゆらぎ動作のシャワーによるマッサージ効果のために、例えば図５に示すように、温度変化のパワースペクトルがその振動数ｆに対して１／ｆとなるようにあらかじめ決定された幾つかの信号パターンＰ０、Ｐ１、Ｐ２、Ｐ３をゆらぎ制御部１１５内の記憶部（図示せず）から読み出してその上限値を給湯リモコン７１に設定された給湯設定温度とし、混合器３での混合制御によるゆらぎ動作を行うようにする。例えば、ゆらぎ動作の初期には、信号パターンＰ１〜Ｐ３に含まれる最大ゆらぎ温度幅（例えば、１０ｄｅｇ℃）の間で温度が単純に変化する初期信号Ｐ０が読み出され、その後、ゆらぎ制御部１１５からの選択信号に応じて所定の順序で各信号パターンＰ１、Ｐ２、Ｐ３が読み出され、以後、初期信号Ｐ０と選択信号にて選択される信号パターンＰ１、Ｐ２、Ｐ３とが交互に読み出される。なお、上記選択信号による各信号パターンＰ１、Ｐ２、Ｐ３の読出順序は、「ゆらぎシャワー」の使用者が各信号パターンＰ１、Ｐ２、Ｐ３の順序を感知できないようにするために、ゆらぎ動作が行なわれる度に異なった順序で読み出されるようにしてもよい。例えば、ゆらぎスイッチ７１３によるゆらぎ動作の指示回数に基づいた演算式や乱数テーブル等によって読み出される信号パターンＰ１、Ｐ２、Ｐ３の読出順序が決定され、またこれはゆらぎ動作中にも逐次信号パターンＰ１、Ｐ２、Ｐ３の読出順序が決定されるようにし、ゆらぎ動作が比較的長くなった場合でも出湯温度となる混合水温度の変化パターンが使用者に感じられないようにすることができる。
【００４５】
一方、上記ソーラ温水温度が上記給湯設定温度以下の低温状態のときは、燃焼不要信号を送出せずに給湯器７の燃焼動作を許容しておき、混合器３からは一定の混合設定温度の混合水を給湯器７に供給するようにし、ゆらぎ動作を給湯器７におけるゆらぎ機能によって行わせるようにする。このときの給湯器７の熱交換器７３における加熱量制御は、上述のように出湯される湯の温度変化のパワースペクトルがその振動数ｆに対して１／ｆとなるようにあらかじめ決定された幾つかの信号パターンＰ０、Ｐ１、Ｐ２、Ｐ３に従うように変化させてもよい。
【００４６】
なお、上記ゆらぎ制御部１１５の制御構成は、当初のソーラ温水温度が給湯設定温度より高い高温状態からソーラ温水温度が給湯設定温度以下の低温状態になったときは、上記湯水混合ユニット１側によるゆらぎ動作から上記給湯器７側によるゆらぎ動作へと切替えるが、逆に、当初のソーラ温水温度が上記低温状態から上記高温状態になったときは、上記給湯器７側によるゆらぎ動作から上記湯水混合ユニット１側によるゆらぎ動作へと切替えずにそのまま給湯器７側によるゆらぎ動作を継続させるようにする。
【００４７】
これは、上記ゆらぎ動作の切替えによってゆらぎ動作が途切れてしまうことを防止するためである。すなわち、給湯器７の熱交換器７３を燃焼動作から非燃焼動作としても熱交換器７３には残熱があってしばらくの間は温調困難な事態となるため、給湯器７の熱交換器７３を燃焼動作制御したゆらぎ動作（ソーラ温水温度の低温状態）から給湯器７における燃焼動作を阻止して混合器３での混合制御によるゆらぎ動作に切替える際に、ゆらぎ動作が長く途切れてしまうからである。
【００４８】
なお、上記ソーラ温水温度が上記給湯設定温度より高い高温状態のときのゆらぎ動作は、上記給湯器７における燃焼動作が阻止されているので、熱交換器７３の残熱によるゆらぎ動作の長い途切れを生じさせることがないから、この場合は、給湯器７側によるゆらぎ動作へと切替えるようにしている。
【００４９】
（ゆらぎ動作の説明）
次に、以上の構成からなるソーラ給湯システムによるゆらぎモードに関する動作を説明する。図２は、湯水混合ユニット１によるコントローラ１１での制御フローを示したフローチャートである。
【００５０】
給湯リモコン７１でのゆらぎスイッチ７１３がオン操作されると（ステップＳ１）、ゆらぎ制御部１１５内の計時機能部（図示せず）にて１５分間の計時を開始すると共に当該ゆらぎ制御部１１５でのフラグｆｒｇＡを「０」とし（ステップＳ２）、次いで温度監視部１１４にてソーラ温水温度が給湯設定温度より高いか否か比較される（ステップＳ３）。
【００５１】
そして、上記温度監視部１１４での比較結果においてソーラ温水温度が給湯設定温度より高い高温状態にある場合は、給湯器７における熱交換器７３の燃焼動作を阻止するための燃焼不要信号を上記通信部１１１から給湯コントローラ７２に送出すると共に、上記ゆらぎ制御部１１５からゆらぎ制御指令を受けた上記混合器制御１１２によって上記混合器３にてソーラ温水と冷水との混合割合を時間経過に伴なって変化させて上記ゆらぎ動作を行わせる（ステップＳ４，Ｓ５）。
【００５２】
すなわち、ソーラ温水温度が給湯設定温度より高い高温状態のときには、上記コントローラ１１は、燃焼不要信号によって給湯器７の熱交換器７３の燃焼動作を阻止するので、当該熱交換器７３の燃焼動作制御によってゆらぎ動作は行われない。この場合、上記コントローラ１１は、上記混合器３においてソーラ温水と冷水との混合割合を図５に示したパターンに従い時間経過に伴なって変化させることにより、時間経過に伴なって温度変化する混合水が入水配管７６を通じて給湯器７へ送り込まれ、この混合水が出湯されるため、上記混合器３の混合制御によってゆらぎ動作が行われることとなる。なお、ステップＳ４では、フラグ「ｆｒｇＡ＝１」の検出が行われるが、上記の場合は上記ステップＳ２によってフラグ「ｆｒｇＡ＝０」とされた状態にあるので制御フローはステップＳ４を通過してステップＳ５へ移行することとなる。
【００５３】
一方、上記ステップＳ３において、上記温度監視部１１４での比較結果においてソーラ温水温度が給湯設定温度以下の低温状態であった場合は、ゆらぎ制御部１１５でのフラグｆｒｇＡを「１」とし（ステップＳ１０）、次いで、この場合は上記通信部１１１からは燃焼不要信号が送出されず、当該ゆらぎ制御部１１５からの制御指令を受けた上記混合器制御１１２によって混合水が一定の混合設定温度となるように上記混合器３のソーラ温水と冷水との混合割合を決定する（ステップＳ１１）。
【００５４】
すなわち、ソーラ温水温度が給湯設定温度以下の低温状態のときは、給湯器７を燃焼動作させる必要があるので、ゆらぎスイッチ７１３のオン操作によるゆらぎ動作指示により上記給湯器７において給湯コントローラ７２の指令によって熱交換器７３の加熱量が時間経過に伴なって変化される。このときに上記混合器３にてソーラ温水と冷水との混合割合を変化させると予想外の高温出湯となるおそれもある。
【００５５】
従って、ソーラ温水温度が上記低温状態のときには、上記コントローラ１１は、上記混合器３において混合水が一定の混合設定温度となるようにソーラ温水と冷水とを混合させ、上記混合器３の混合制御によってはゆらぎ動作を行わない。この場合、通信部１１１は給湯コントローラ７２に対して燃焼不要信号を送出しないので給湯器７での燃焼動作が許容されるため、通常どおり給湯器７の熱交換器７３での加熱量が時間経過に伴なって変化され、入水配管７６に供給されてくる一定の混合設定温度となった混合水が当該熱交換器７３により時間経過に伴なって温度変化されて出湯される。従って、上記熱交換器７３での燃焼動作制御によってゆらぎ動作が行われることとなる。
【００５６】
このソーラ温水温度の低温状態のときの上記混合設定温度は、ゆらぎ温度幅が確保できる温度であって、且つなるべく高い温度であることが好ましい。本例では、ゆらぎ温度幅を１０ｄｅｇ℃とすると、上記混合設定温度が２５℃程度とされる。これは、シャワー使用に際しての給湯設定温度は一般に３５℃以上になされると考えられるから、この３５℃の給湯設定温度をゆらぎ温度幅の上限温度とし、１０ｄｅｇ℃のゆらぎ温度幅が確保できる最も高い温度が２５℃となるからである。なお、上記混合設定温度の決定に際し、なるべく高い温度とするのは、ソーラ温水の混合割合を多くすることによってソーラ温水の利用を十分に図るためであり、また、ゆらぎ温度幅が確保できる温度とするのは、ゆらぎ動作の運転によるマッサージ効果を十分に果たせるようにするためである。また、ゆらぎ動作時の上記混合設定温度は、ゆらぎ動作以外の通常の給湯使用時の混合設定温度より一般に低くなる。それは、上述のように、ゆらぎ温度幅として概ね１０ｄｅｇ℃程度確保する必要があるからである。
【００５７】
そして、上記各ゆらぎ動作は、次の停止条件に応じて停止される。すなわち、ゆらぎ動作の停止条件は、ゆらぎスイッチ７１３がオフ操作された場合（ステップＳ６）、ゆらぎ動作の継続時間が１５分経過した場合（ステップＳ７）、混合水路内の通水が作動水量以下になった場合（ステップＳ８）であり、これらのいずれかの場合に、ゆらぎ動作が解除され、ゆらぎ動作が終了する（ステップＳ９）。なお、このゆらぎ動作終了時に、ゆらぎ制御部１１５の制御指令によって通信部１１１からの信号出力により給湯リモコン７１において表示器やブザー等でゆらぎ終了を報知するようにしてもよい。
【００５８】
ゆらぎ動作が停止されないゆらぎ動作中の間は、制御フローを上記ステップＳ３に戻し、温度監視部１１４によって最新のソーラ温水温度と給湯設定温度との比較がなされる。
【００５９】
そして、ゆらぎ動作の当初はソーラ温水温度が給湯設定温度より高い高温状態にあったが（ステップＳ５）、このゆらぎ動作中にソーラ温水温度が給湯設定温度以下の低温状態となった場合は、ステップＳ３において制御フローをステップＳ１０，Ｓ１１へ移行させ、給湯器７への燃焼不要信号の送出を停止すると共に、混合器３からは一定の混合設定温度の混合水を給湯器７に供給し、給湯器７での燃焼制御によるゆらぎ動作に切替えられる。
【００６０】
逆に、ゆらぎ動作の当初はソーラ温水温度が給湯設定温度以下の低温状態にあったが（ステップＳ１１）、このゆらぎ動作中にソーラ温水温度が給湯設定温度より高い高温状態となった場合は、混合器７によるゆらぎ動作へとは切替えることなく、そのまま給湯器７によるゆらぎ動作を継続させる。つまり、制御フローがステップＳ３においてステップＳ４へ移行されると、このステップＳ４においてゆらぎ制御部１１５のフラグ「ｆｒｇＡ＝１」が検出され（ステップＳ４でＹｅｓ）、給湯器７によるゆらぎ動作を行わせる上記ステップＳ１１へと再び戻されるからである。なお、上記フラグｆｒｇＡは、ソーラ温水温度が上記低温状態のときにステップＳ１０で「１」にセットされている。
【００６１】
このような動作制御を行う理由を説明する。すなわち、ゆらぎ動作を混合器３で行わせる場合（ステップＳ５）と給湯器７の熱交換器７３で行わせる場合（ステップＳ１１）との間で切替えると、この切替え時にゆらぎ動作の温度変化パターンが途切れてしまうが、上記熱交換器７３を燃焼動作制御したゆらぎ動作（ソーラ温水温度の低温状態）から当該燃焼動作を阻止して混合器３の混合制御によるゆらぎ動作（ソーラ温水温度の高温状態）に切替える場合、給湯器７の熱交換器７３を燃焼動作から非燃焼動作としても熱交換器７３には残熱があってしばらくの間は温調困難な事態があるため、この切替え時に起こるゆらぎ動作の途切れが長く続いてしまう。そこで、上記ステップＳ４の構成により、ソーラ温水温度が給湯設定温度以下の低温状態から給湯設定温度より高い高温状態へと変わっても、上記燃焼不要信号を送出せずに上記混合器３にて混合水の温度が一定温度となるように湯水混合割合を決定する現在の制御（ステップＳ１１）を継続し、給湯器７の熱交換器７３を燃焼動作制御させたゆらぎ動作を続行することによって、ゆらぎ動作の途切れを完全に防止することができる。
【００６２】
一方、ソーラ温水温度が高温状態のときのゆらぎ動作は、上記給湯器７における燃焼動作が阻止されているので、ソーラ温水温度が高温状態のときのゆらぎ動作（ステップＳ５）からソーラ温水温度が低温状態のときのゆらぎ動作（ステップＳ１１）へと切替えても、熱交換器７３の残熱によるゆらぎ動作の長い途切れを生じさせることがないので、ソーラ温水温度が高温状態でのゆらぎ動作中（熱交換器が非燃焼動作）にソーラ温水温度が低温状態となった場合は、給湯器７における燃焼動作を許容したゆらぎ動作に切替わる制御構成としている。つまり、ソーラ温水温度が給湯設定温度より高い高温状態でのゆらぎ動作中（ステップＳ５）に、ソーラ温水温度が給湯設定温度以下となった場合は、ステップＳ３での「Ｎｏ」の判別に従って給湯器７によるゆらぎ動作（ステップＳ１１）に切替えられる。
【００６３】
以上のように、上記実施の形態１によると、ゆらぎ動作に際して、ソーラ温水温度が給湯設定温度より高い場合でも低い場合でも太陽熱温水器５のソーラ温水が利用されるので、このソーラ温水を有効に活用してゆらぎ動作を行うことができ、しかも、予想外の高温出湯となることもなく安全にゆらぎ動作を行うことができる。また、ソーラ温水温度が給湯設定温度以下の低温状態でのゆらぎ動作中に上記ソーラ温水温度が上記給湯設定温度より高くなった場合でも、給湯器７の熱交換器７３を燃焼動作制御させたゆらぎ動作がそのまま継続されるので、この場合にゆらぎ動作が途切れてしまう不具合を防止できる。
【００６４】
＜実施の形態２＞
実施の形態２のソーラ給湯システムは、湯水混合ユニット１の上記コントローラ１１のゆらぎ動作に関する制御構成として、ソーラ温水温度が給湯設定温度より高かったときにおける上記湯水混合ユニット１側によるゆらぎ動作中に、ソーラ温水温度が給湯設定温度以下となったときは、ゆらぎ動作を終了させるようにする。その他の構成および動作は、上記実施の形態１と同様である。
【００６５】
この実施の形態２でのゆらぎ動作の制御を図３のフローチャートに示す。図３において、上記実施の形態１での図２のフローチャートと比べてフラグｆｒｇＢおよびゆらぎ終了信号に関するステップＳ１０１，Ｓ１０２，Ｓ１０３，Ｓ１０４が追加されている。
【００６６】
図３を参照して、ゆらぎスイッチ７１３がオン操作されると、コントローラ１１内のゆらぎ制御部１１５のフラグｆｒｇＡおよびフラグｆｒｇＢがともに「０」にされる（ステップＳ１，Ｓ２，Ｓ１０１）。そして、ソーラ温水温度が給湯設定温度より高かった場合は、上記フラグｆｒｇＢを「１」にし、燃焼不要信号の送出によって給湯器７の燃焼動作を阻止すると共に混合器３での混合割合を時間経過に伴なって変化させ、当該混合器３における混合制御によってゆらぎ動作を行わせる。
【００６７】
この湯水混合ユニット１側によるゆらぎ動作中に、ソーラ温水温度が給湯設定温度以下となったとき、制御フローがステップＳ１０を経てＳ１０３へ移行され、ステップＳ１０３において上記フラグ「ｆｒｇＢ＝１」が検出される。すると、制御フローがステップＳ１０４へ移行してゆらぎ終了信号が送出され、次いでステップＳ９へ移行してゆらぎ動作が解除され、ゆらぎ動作が停止される。
【００６８】
上記ステップＳ１０４におけるゆらぎ終了信号は、ゆらぎ制御部１１５からの指令によって通信部１１１が給湯リモコン７１に対して送出し、このゆらぎ終了信号を受け取った給湯リモコン７１において表示器やブザー等でゆらぎ停止を報知するようにしてもよい。
【００６９】
このように、ソーラ温水温度が給湯設定温度より高かったときのゆらぎ動作中に、ソーラ温水温度が給湯設定温度以下となったときは、ゆらぎ動作を継続させるには上記実施の形態１の場合のように給湯器側による燃焼動作制御へと切替える必要があるが、この切替え時には、ゆらぎ動作による所定パターンの出湯温度の温度変化が途切れ、ゆらぎシャワーの心地よさが減少してしまう。
【００７０】
そこで、このような場合は、上記実施の形態２では、ゆらぎ動作を一旦終了させるようにした。すると、使用者がまだ引続いてゆらぎシャワーを継続したければ、改めてゆらぎスイッチ７１３をオン操作することによって途切れのない所定パターンの出湯温度変化となり、これによって以後は心地のよいゆらぎシャワーを実感できることとなる。
【００７１】
なお、ソーラ温水温度が給湯設定温度以下のときのゆらぎ動作中に（ステップＳ１１）、ソーラ温水温度が給湯設定温度より高くなったときは（ステップＳ３でＹｅｓ）、実施の形態１と同じく、ステップＳ４でのフラグ「ｆｒｇＡ＝１」の検出によって制御フローがステップＳ１１へ戻されて、現在のゆらぎ動作が継続されるから、ゆらぎ動作が途切れることもない。
【００７２】
＜実施の形態３＞
実施の形態３のソーラ給湯システムは、湯水混合ユニット１の上記コントローラ１１のゆらぎ動作に関する制御構成として、ゆらぎ動作中に、ソーラ温水温度が給湯設定温度より高かった状態から低くなったときや、ソーラ温水温度が給湯設定温度より低かった状態から高くなったときは、いずれの場合もゆらぎ動作を終了させるようにする。その他の構成および動作は、上記実施の形態１と同様である。
【００７３】
この実施の形態３でのゆらぎ動作の制御を図４のフローチャートに示す。上記実施の形態２での図３のフローチャートではステップＳ４においてフラグ「ｆｒｇＡ＝１」が検出されると制御フローをステップＳ１１へ戻していたところ、図４のフローチャートでは、ステップＳ２０４においてフラグ「ｆｒｇＡ＝１」が検出されると制御フローをステップＳ１０４へ移行させる。
【００７４】
従って、ソーラ温水温度が給湯設定温度以下のときのゆらぎ動作中に（ステップＳ１１）、ソーラ温水温度が給湯設定温度より高くなったときは、制御フローがステップＳ１０４へ移行してゆらぎ終了信号が送出され、次いでステップＳ９へ移行してゆらぎ動作が解除され、ゆらぎ動作が停止される。その他の制御動作は、図３に示す上記実施の形態２と同様である。
【００７５】
上記実施の形態１，２のように、ソーラ温水温度が給湯設定温度以下のときのゆらぎ動作中に（ステップＳ１１）、ソーラ温水温度が給湯設定温度より高くなったときは、給湯器７を燃焼動作させることなくソーラ温水を利用してゆらぎ動作を行うことができるにも関わらず、ゆらぎ動作の途切れを防止すべく、そのまま現在のゆらぎ動作が継続されるため、太陽熱温水器５のソーラ温水を最大限に有効活用されていない。
【００７６】
そこで、実施の形態３では、ソーラ温水温度が給湯設定温度以下のときのゆらぎ動作中に（ステップＳ１１）、ソーラ温水温度が給湯設定温度より高くなったときでも、一旦ゆらぎ動作を停止させることによって、使用者がまだ引続いてゆらぎシャワーを継続したければ、改めてゆらぎスイッチ７１３をオン操作させるようにする。これによって、ゆらぎ動作は、図４中のステップＳ５における、給湯器７を燃焼動作させず、ソーラ温水を十分に有効利用したゆらぎ動作が行われるので、ソーラ温水を最大限に有効活用することができる。
【００７７】
＜その他＞
なお、本発明は上記各実施の形態１〜３のものには限定されず、種々の変更が可能である。例えば、ソーラ温水温度が給湯設定温度以下の低温状態のときの上記コントローラ１１における制御構成を、混合器３にてソーラ温水の混合を行わない水固定（ソーラ温水側弁３１を全閉、冷水側弁３２を開）としてもよい。この場合、冷水温度は、冷水に温水を混合した混合水に比して低いので、給湯器７側に混合水を送り込んだときよりも混合器３の水固定にて冷水を送り込むことによってゆらぎ動作時の下限温度を下げるができ、ゆらぎ動作の温度幅を十分に確保することができる。
【００７８】
また、上記コントローラ１１は、上記ゆらぎスイッチ７１３よりゆらぎ動作が指示されると、上記給湯器７における熱交換器７３の燃焼動作を阻止するための燃焼不要信号を送出せず、混合水の温度が一定温度となるように混合器３の湯水混合割合を決定する制御構成としてもよい。この場合、ゆらぎ動作に際して、ソーラ温水温度が給湯設定温度より高くても低くても、混合器３から一定の混合設定温度となった混合水が給湯器７に送り込まれるので、制御構成を簡単にするができる。
【００７９】
また、図１に示した湯水混合ユニット１の構成例では、ソーラ温水路２１において常閉式の開閉弁３３（電磁弁等）を備えたものとしたが、図６に示すように、このような開閉弁３３を備えず、混合器３を迂回させて冷水路２２と混合水路２３とを直結するバイパス通路２２１を設け、且つ、このバイパス通路２２１に混合水路２３内の通水時には閉弁させるようにした常開式のバイパス開閉弁３３１（電磁弁等）を具備したものとしてもよい。
【００８０】
また、図１に示した例では、混合器３としてソーラ温水側弁３１と冷水側弁３２とを持つ２軸式とするが、単一の弁体を回動させて角度調節することによりソーラ温水路２１からのソーラ温水と冷水路２２からの冷水の混合割合を調整する１軸式のものでもよい。
【００８１】
さらには、上記各実施の形態１〜３では、上記温水供給器として太陽熱温水器５を用いるが、これに限らず、例えば廃熱利用の温水器等その他種々の温水供給器であってもよい。
【図面の簡単な説明】
【図１】実施の形態１による湯水混合ユニットを用いた給湯システムの全体構成を示す構成図である。
【図２】実施の形態１の湯水混合ユニットにおける動作フローを示すフローチャートである。
【図３】実施の形態２の湯水混合ユニットにおける動作フローを示すフローチャートである。
【図４】実施の形態３の湯水混合ユニットにおける動作フローを示すフローチャートである。
【図５】ゆらぎ動作時における混合水の温度変化パターンを示す波形図である。
【図６】通水回路の他の例であってバイパス通路と常開式のバイパス開閉弁とを備えるものを示す要部構成図である。
【図７】従来のソーラ給湯システムの全体構成を示す構成図である。
【符号の説明】
１  湯水混合ユニット
２  通水回路
３  混合器
５  太陽熱温水器
７  給湯器
１０  給水配管
１１  コントローラ
２１  ソーラ温水路
２２  冷水路
２３  混合水路
３１  ソーラ温水側弁
３２  冷水側弁
３３  ソーラ温水開閉弁
４０  水量センサ
４１  ソーラ温水温度センサ
４２  冷水温度センサ
４３  混合水温度センサ
４４  ハイカットサーミスタ
５６  ソーラ温水配管
７１  給湯リモコン
７２  給湯コントローラ
７３  熱交換器
７６  入水配管
７７，７８  通信線
１１１  通信部
１１２  混合器制御部
１１３  開閉弁制御部
１１４  温度監視部
１１５  ゆらぎ制御部
７１３  ゆらぎスイッチ
【図１】
0003718653.tif 000002
【図２】
0003718653.tif 000003
【図３】
0003718653.tif 000004
【図４】
0003718653.tif 000005
【図５】
0003718653.tif 000006
【図６】
0003718653.tif 000007
【図７】
0003718653.tif 000008